(57)【要約】【課題】インターネット上へのＷＥＢページの提供及びその修正に関し、流行語等のキーワード（検索ワード）収集の自動化とともに、そのキーワードをＷＥＢページに自動的に反映させる。【解決手段】インターネット（３０）等のネットワーク上にＷＥＢページを提供するとともに、他のＷＥＢサイトから流行語等のキーワード（検索ワード）や、順位付け情報を取得し、この順位付け情報を参照してキーワードに順位付けをして蓄積し、順位付けされたキーワードをその順位付けに応じて提供中のＷＥＢページに反映させる。斯かる構成によれば、流行語等のキーワードの変遷に対応し、ＷＥＢページを自動修正、自動更新し、検索エンジン等のブラウザ上の上位にＷＥＢページを表示させることができ、ＷＥＢページのランキング上昇が図られる。【選択図】図１
2010026724.tif 000002
【特許請求の範囲】
【請求項１】
ネットワーク上にＷＥＢページを提供するＷＥＢページ提供装置であって、
ネットワーク上のＷＥＢサイトにアクセスし、前記ＷＥＢサイトから検索ワードを収集する検索ワード収集手段と、
前記ＷＥＢサイトから前記検索ワードの順位付け情報を取得する取得手段と、
前記順位付け情報を参照して前記検索ワードに順位付けする検索ワード順位付け手段と、
前記検索ワード順位付け手段によって順位付けされた前記検索ワードを格納する順位付け検索ワード蓄積手段と、
順位付けされた前記検索ワードの順位付けに応じて前記検索ワードを提供中のＷＥＢページに書き込み、ＷＥＢページを修正するＷＥＢページ修正手段と、
を備えたことを特徴とするＷＥＢページ提供装置。
【請求項２】
請求項１のＷＥＢページ提供装置において、
前記検索ワード収集手段によって収集された前記検索ワードを蓄積する検索ワード蓄積手段を備え、該検索ワード蓄積手段に少なくとも日時情報、収集したＷＥＢサイト情報とともに前記検索ワードを蓄積することを特徴とするＷＥＢページ提供装置。
【請求項３】
請求項１のＷＥＢページ提供装置において、
前記検索ワード順位付け手段は、指定期間での少なくとも検索ワードのＷＥＢサイト上の順位、検索ワードの取得日時、検索したＷＥＢサイトの何れか又は２以上を順位付け情報に使用することにより、又はその順位付け情報に点数を付与することにより、前記検索ワードに順位付けを行うことを特徴とするＷＥＢページ提供装置。
【請求項４】
ネットワーク上に提供されるＷＥＢページのランキング連動方法であって、
ネットワーク上のＷＥＢサイトにアクセスし、前記ＷＥＢサイトから検索ワードを収集するステップと、
前記ＷＥＢサイトから前記検索ワードの順位付け情報を取得するステップと、
前記順位付け情報を参照して前記検索ワードに順位付けするステップと、
順位付けされた前記検索ワードを順位付け情報とともに順位付け検索ワード蓄積手段に格納するステップと、
順位付けされた前記検索ワードの順位付けに応じて前記検索ワードを提供中のＷＥＢページに書き込み、ＷＥＢページを修正するステップと、
を含むことを特徴とするＷＥＢページのランキング連動方法。
【請求項５】
コンピュータによって実行され、ネットワーク上に提供されるＷＥＢページのランキング連動プログラムであって、
ネットワーク上のＷＥＢサイトにアクセスし、前記ＷＥＢサイトから検索ワードを収集するステップと、
前記ＷＥＢサイトから前記検索ワードの順位付け情報を取得するステップと、
前記順位付け情報を参照して前記検索ワードに順位付けするステップと、
順位付けされた前記検索ワードを順位付け情報とともに順位付け検索ワード蓄積手段に格納するステップと、
順位付けされた前記検索ワードの順位付けに応じて前記検索ワードを提供中のＷＥＢページに書き込み、ＷＥＢページを修正するステップと、
をコンピュータに実行させるＷＥＢページのランキング連動プログラム。
【発明の詳細な説明】
【技術分野】
【０００１】
本発明は、インターネット上へのＷＥＢページの提供及びその修正に関し、特に、流行語等のキーワードをインターネット上に公開されているＷＥＢページに自動反映させるＷＥＢページ提供装置、ＷＥＢページのランキング連動方法及びそのプログラムに関する。
【背景技術】
【０００２】
従来、ネットワーク上に公開されるＷＥＢページのアクセス数を増大させるには、ＷＥＢページに検索され易い言葉が存在していることが重要な要素となる。ＷＥＢサイトの検索を行うポータルサイト等において、流行語で検索が行われた場合、その流行語の存在でアクセス数の増加が期待できる。
【０００３】
このように、流行語をキーワードにＷＥＢページの検索を行うシステムに関し、特許文献１には、予め選定された流行語候補毎にスポンサーの投票ポイントを管理し、当該投票ポイントから流行語を決定し、その流行語から予め決められた基準で表示する流行語を選択し、その流行語のリスト、又は流行語を含む文であるハイパーテキストコンテンツとして作成し、それをユーザ端末に転送し、ポータル手段から転送された流行語のリスト、又は流行語を含む文中の流行語をユーザがクリックしたとき、ＷＥＢ上のコンテンツの検索結果を要求元へ転送することが開示されている。
【０００４】
また、新語に関連する情報を収集する機能に関し、特許文献２には、単語とその単語の出現日情報を辞書に格納し、ドキュメントから単語を抽出し、その抽出した単語を先の辞書に参照させ、その参照した結果、新語であるかどうかを判断し、判断された新語をキーに、例えばインターネット等で検索し、その検索結果を取得し、表示することが開示されている。
【特許文献１】特開２００６−２９３９２０（要約、図２等）
【特許文献２】特開２００４−１５７８９７（要約、図１等）
【発明の開示】
【発明が解決しようとする課題】
【０００５】
ところで、流行語での検索に対し、そのアクセス数を増加させるには、その流行語を他のＷＥＢページ等から探し、ＷＥＢページにその流行語を書き込むことが必要となる。ネットワーク上の流行語は絶えず変化しているので、流行語を常に監視することが必要となり、その変化に対応して流行語を書き込む等、ＷＥＢページを修正することは手間のかかる作業であるし、その作業を怠ればアクセス数の減少は否めない。
【０００６】
斯かる要求や課題について、特許文献１、２にはその開示や示唆はなく、それを解決する構成等についての開示や示唆はない。
【０００７】
そこで、本発明の目的は、インターネット上へのＷＥＢページの提供及びその修正に関し、流行語等のキーワード（検索ワード）収集の自動化とともに、そのキーワードをＷＥＢページに自動的に反映させることにある。
【０００８】
また、本発明の他の目的は、インターネット上へのＷＥＢページの提供及びその修正に関し、ネットワーク上の流行語等のキーワードの変動に連動させることで、そのキーワード検索に対応し、検索ランキングを上げることにある。
【課題を解決するための手段】
【０００９】
上記目的を達成するため、本発明は、インターネット等のネットワーク上にＷＥＢページを提供するとともに、他のＷＥＢサイトから流行語等のキーワード（検索ワード）や、順位付け情報を取得し、この順位付け情報を参照してキーワードに順位付けをして蓄積し、順位付けされたキーワードをその順位付けに応じて提供中のＷＥＢページに反映させる。斯かる構成によれば、流行語等のキーワードの変遷に対応し、ＷＥＢページを自動修正、自動更新するので、検索エンジン等のブラウザで検索された際に、その検索結果の上位にＷＥＢページを表示させることができ、ＷＥＢページのランキング上昇が図られる。
【００１０】
そこで、上記目的を達成するため、本発明は、ネットワーク上にＷＥＢページを提供するＷＥＢページ提供装置であって、ネットワーク上のＷＥＢサイトにアクセスし、前記ＷＥＢサイトから検索ワードを収集する検索ワード収集手段と、前記ＷＥＢサイトから前記検索ワードの順位付け情報を取得する取得手段と、前記順位付け情報を参照して前記検索ワードに順位付けする検索ワード順位付け手段と、前記検索ワード順位付け手段によって順位付けされた前記検索ワードを格納する順位付け検索ワード蓄積手段と、順位付けされた前記検索ワードの順位付けに応じて前記検索ワードを提供中のＷＥＢページに書き込み、ＷＥＢページを修正するＷＥＢページ修正手段とを備えたことである。
【００１１】
斯かる構成によれば、ネットワーク上のＷＥＢサイトにアクセスして検索ワードを収集するとともに、ＷＥＢサイトから検索ワードの順位付け情報を取得し、その順位付け情報を参照して検索ワードに順位付けをして蓄積し、検索ワードの順位付けに応じて、その検索ワードを提供中のＷＥＢページに書き込み、ＷＥＢページを修正するので、検索ワードが流行語等のキーワードであれば、ＷＥＢサイトの検索を行うポータルサイト等での検索において、ＷＥＢページの検索順位を上位にランクさせることができ、上記目的を達成できる。
【００１２】
上記目的を達成するためには、上記ＷＥＢページ提供装置において、好ましくは、前記検索ワード収集手段によって収集された前記検索ワードを蓄積する検索ワード蓄積手段を備え、該検索ワード蓄積手段に少なくとも日時情報、収集したＷＥＢサイト情報とともに前記検索ワードを蓄積する構成としてもよく、また、前記検索ワード順位付け手段は、指定期間での少なくとも検索ワードのＷＥＢサイト上の順位、検索ワードの取得日時、検索したＷＥＢサイトの何れか又は２以上を順位付け情報に使用することにより、又はその順位付け情報に点数を付与することにより、前記検索ワードに順位付けを行う構成としてもよい。斯かる構成によっても、上記目的が達成される。
【００１３】
上記目的を達成するため、本発明は、ネットワーク上に提供されるＷＥＢページのランキング連動方法であって、ネットワーク上のＷＥＢサイトにアクセスし、前記ＷＥＢサイトから検索ワードを収集するステップと、前記ＷＥＢサイトから前記検索ワードの順位付け情報を取得するステップと、前記順位付け情報を参照して前記検索ワードに順位付けするステップと、順位付けされた前記検索ワードを順位付け情報とともに順位付け検索ワード蓄積手段に格納するステップと、順位付けされた前記検索ワードの順位付けに応じて前記検索ワードを提供中のＷＥＢページに書き込み、ＷＥＢページを修正するステップとを含むことである。斯かる構成によっても、上記目的が達成される。
【００１４】
上記目的を達成するため、本発明は、コンピュータによって実行され、ネットワーク上に提供されるＷＥＢページのランキング連動プログラムであって、ネットワーク上のＷＥＢサイトにアクセスし、前記ＷＥＢサイトから検索ワードを収集するステップと、前記ＷＥＢサイトから前記検索ワードの順位付け情報を取得するステップと、前記順位付け情報を参照して前記検索ワードに順位付けするステップと、順位付けされた前記検索ワードを順位付け情報とともに順位付け検索ワード蓄積手段に格納するステップと、順位付けされた前記検索ワードの順位付けに応じて前記検索ワードを提供中のＷＥＢページに書き込み、ＷＥＢページを修正するステップとをコンピュータに実行させることである。斯かる構成によっても、上記目的が達成される。
【発明の効果】
【００１５】
本発明によれば、次のような効果が得られる。
【００１６】
(1) 流行語等のキーワードを自動でＷＥＢページに反映させることができるので、検索エンジン等の検索プログラムによってキーワード検索が実行された際に、ＷＥＢページの検索ランキングを上昇させることができる。
【００１７】
(2) ネットワーク上で変動する流行語等のキーワードを収集したサイト毎の順位付けを参照するので、検索可能性の高いキーワードを抽出してＷＥＢページに反映させることができる。
【００１８】
(3) ＷＥＢページ中に流行語等のキーワードを自動的に収集してＷＥＢページを自動修正するので、常に、流行に追随したキーワードでＷＥＢページを修正し、提供することができる。
【００１９】
そして、本発明の他の目的、特徴及び利点は、添付図面及び各実施の形態を参照することにより、一層明確になるであろう。
【発明を実施するための最良の形態】
【００２０】
〔第１の実施の形態〕
【００２１】
第１の実施の形態について、図１を参照する。図１は、ＷＥＢページ提供システムを示す図である。図１に示す構成は一例であって、斯かる構成に本発明が限定されるものではない。
【００２２】
このＷＥＢページ提供システム１０は、インターネット上から検索ワードとして流行語等のキーワードや、順位付け情報を取得し、そのキーワードやその順位付け情報を参照して順位付けしたキーワードを自動的に反映させてＷＥＢページに修正し、インターネット上に公表するシステムである。そこで、このＷＥＢページ提供システム１０は、サーバ１、サーバ２、インターネット３０と、検索ワードランキングサイト４１、４２・・・４ｎとを備えている。
【００２３】
サーバ１は、ＷＥＢページ提供装置の一例であるコンピュータであって、検索ワード収集部１２と、検索ワード解析部１４と、検索ワードデータベース（ＤＢ）部１６と、検索ワードマスタデータベース（ＤＢ）部１８とを備える。
【００２４】
検索ワード収集部１２はＷＥＢサイトから検索ワードを収集する検索ワード収集手段であるとともに、検索ワードの順位付け情報を取得する取得手段であって、検索ワードランキングサイト４１、４２・・・４ｎの一部又は全部からＷＥＢページのソース（情報源）を取ってくる。そして、そのソースから検索ワードと順位を抜き出す。例えば、ランクインしている単語ＸＸＸが、ソース上、<a href="http://ｙｙｙｚｚｚ.com">ＸＸＸ</a>と書かれていれば、この行の「＞」と「＜」の間を抜き出し、ＸＸＸをランクインしている検索ワードとして取得し、同様にして、検索ワードの順位も取得する。分野別にランク付けされているサイトの場合では、サイトの分野とランキングサイトの分野が一致しているとき、分野別のランキングから検索ワードを収集する。このような検索作業を、定期的に行い、検索ワードのデータを収集する。検索ワードの一覧があるが、順位付けされていないサイトの場合は、検索ワードのみ取得する。
【００２５】
検索ワード解析部１４は、検索ワードＤＢ部１６にある情報を元に、総合的な検索ワードの順位付けを行う。ある期間の間で、集計された検索ワードに対して、参照元サイト、取得日時、ランキングの順位によって重みを付けることによって、各検索ワードに対しての総合順位を付ける。また、検索ワードのフィルタリングが必要な場合は、予め設定しておいた検索ワードマスタＤＢ部１８を参照し、この検索ワードマスタＤＢ部１８に無いワード（言葉）は除外フラグを立てる。手動にて、特定の検索ワードの除外フラグを立てることも可能である。このようにして、ある期間における検索ワードの総合ランキングを作成し、検索ワード総合ランキングＤＢ２６に格納する。
【００２６】
検索ワードＤＢ部１６は、検索ワード収集部１２で収集した検索ワード情報を保持しておく蓄積手段であるとともに、順位付けされた検索ワードを格納する順位付け検索ワード蓄積手段であって、各種のデータを記録する記録手段である。この検索ワードＤＢ部１６には、収集された検索ワード情報と、順位、参照元サイト、取得日時等の順位付け情報とが格納されている。
【００２７】
検索ワードマスタＤＢ部１８は、検索ワードのフィルタリングに必要なワードが格納される記憶手段であって、予めフィルタリングに必要なワードが設定される。
【００２８】
サーバ２は、ＷＥＢページ提供装置の一例であって、ＷＷＷ文書作成部２２と、ＷＷＷ文書マスタ部２４と、検索ワード総合ランキングデータベース（ＤＢ）部２６とを備える。
【００２９】
ＷＷＷ文書作成部２２は、ＷＷＷ文書作成手段であるとともにＷＥＢページ修正手段であって、ＷＷＷ文書マスタ部２４の予め設定された位置（キーワードタグ等）に、検索ワード総合ランキングＤＢ部２６のデータを埋め込む。例えば、キーワードタグに流行語を埋め込む場合、ＷＥＢページの構成を以下の３つに分ける。
ｉ）キーワードタグより上の部分
ii）キーワードタグ
<meta name="keywords" content=" 流行語１, 流行語２, ・・・ /> 
iii）キーワードタグより下の部分
【００３０】
ＷＷＷ文書作成部２２は、ＷＷＷ文書を作成する際に、ｉ）、ii）、 iii）を順に書いていく。ｉ）、 iii）の部分は固定領域であるのに対し、ii）の部分は検索ワード総合ランキングＤＢ部２６を参照し、そのときの流行語を表示する。このようにして、キーワードタグ等に流行語が埋め込まれたＷＷＷ文書が作成される。この場合、流行語１、流行語２・・・は検索ワードの一例であって、ＷＥＢページの検索結果を上位にランク付けさせるためのキーワードである。
【００３１】
上記例は、収集したキーワード部分をii）の部分にのみ埋め込む場合であるが、ii）以外の部分に流行のキーワードを埋め込むことも可能である。この場合は、キーワードを埋め込んだ部分に、固定領域と動的に変化する領域とが存在することになる。
【００３２】
ＷＷＷ文書マスタ部２４は、ＷＷＷ文書の原文を格納し、その原文にはキーワードタグ等が含まれる。また、検索ワード総合ランキングＤＢ部２６は、検索ワード総合ランキングを格納する。
【００３３】
検索ワードランキングサイト４１、４２・・・４ｎは、インターネット３０上に検索ワードやそのランキング等を提供している各種のサイトである。
【００３４】
次に、検索ワードＤＢ部１６、検索ワードマスタＤＢ部１８について、図２及び図３を参照する。図２は、検索ワードＤＢ部のデータ構造を示す図、図３は、検索ワードマスタＤＢ部のデータ構造を示す図である。図２及び図３は一例であって、斯かる構成に本発明が限定されるものではない。
【００３５】
この検索ワードＤＢ部１６には、収集によって取得された検索ワード、その取得日時、参照元サイト、順位等の情報が格納されるデータテーブルとして検索ワードテーブル３２が設定され、この検索ワードテーブル３２には、図２に示すように、取得日時欄３４、参照元サイト欄３６、順位欄３８、検索ワード欄５０が設定されており、取得日時欄３４には、検索ワードの取得日時情報が格納され、参照元サイト欄３６には、取得したサイト名（サイトＡ、サイトＢ・・・）が格納され、順位欄３８には、参照元サイトから取得されたその検索ワードの参照元サイトでの順位を表す数（１、２・・・）が格納され、検索ワード欄５０には、検索対象を表す検索ワード（検索ワード１、検索ワード７、検索ワード３・・・）が格納される。
【００３６】
従って、検索ワードＤＢ部１６の例えば、「検索ワード７」を参照すると、その取得日時が「２００７０１０１００００」であり、参照元サイトが「サイトＢ」であり、その順位が「５」であることが判る。
【００３７】
また、検索ワードマスタＤＢ部１８には検索ワードマスタのデータテーブルとして検索ワードマスタテーブル３３が設定され、この検索ワードマスタテーブル３３には、図３に示すように、特定された検索ワードとして例えば、検索ワード１、検索ワード２・・・が格納されている。
【００３８】
次に、検索ワードの得点付け処理及び検索ワード総合ランキングＤＢ部２６について、図４及び図５を参照する。図４は、検索ワードの得点テーブルのデータ構造を示す図、図５は、検索ワード総合ランキングＤＢ部のデータ構造を示す図である。図４及び図５は一例であって、斯かる構成に本発明が限定されるものではない。
【００３９】
検索ワードの得点付け処理は、検索ワード解析部１４によって処理され、既述の検索ワードＤＢ部１６にある検索ワードについて、取得日時、参照元サイト及び順位は順位付け情報として用いられ、取得日時、参照元サイト及び順位を評価し、検索ワードの順位付けのための得点を付与する。この得点付与が順位付けの前処理である。
【００４０】
この実施の形態では、取得日時に対しては「日時点」を評価し、検索ワードＤＢ部１６にある「日時点」は全て得点「１」としている。また、参照元サイトについては、「サイトＡ」をサイト点「２」、「サイトＢ」をサイト点「１」としている。また、各サイトにおける順位については、「順位１」を順位点「５」、「順位２」を順位点「４」、「順位３」を順位点「３」・・・に設定する。これらの得点を合計し、各検索ワードに得点を付与している。例えば、日時「２００７０１０１００００」、「サイトＡ」で取得された「検索ワード１」の得点Ｎ１は、
Ｎ１＝日時点＋サイト点＋順位点＝１＋２＋５＝８        ・・・(1) 
となり、最高点「８」が付与されている。
【００４１】
そこで、この得点付け処理された検索ワードを格納するデータテーブルとして検索ワードテーブル５２（図４）が検索ワードＤＢ部１６に設定されている。この検索ワードテーブル５２には、図４に示すように、取得日時欄５４、日時点欄５６、参照元サイト欄５８、サイト点欄６０、順位欄６２、順位点欄６４、検索ワード欄６６、小計欄６８が設定されており、取得日時欄５４は取得日時欄３４（図２）、参照元サイト欄５８は参照元サイト欄３６（図２）、順位欄６２は順位欄３８（図２）、検索ワード欄６６は検索ワード欄５０（図２）に対応し、同様に、検索ワードＤＢ部１６に格納される。
【００４２】
このような得点付け処理された検索ワードについて、総合ランキングが付され、検索ワード総合ランキングＤＢ部２６（図１）に格納される。この検索ワード総合ランキングＤＢ部２６には、ランキングデータを格納するデータテーブルとして検索ワード総合ランキングテーブル７０（図５）が設定されている。この検索ワード総合ランキングテーブル７０には、図５に示すように、集計開始日時欄７２、集計終了日時欄７４、順位欄７６、検索ワード欄７８、合計点欄８０、有効フラグ欄８２が設定されている。集計開始日時欄７２には集計開始の日時情報、集計終了日時欄７４には集計終了の日時情報、順位欄７６には順位情報を表す数値、検索ワード欄７８には検索ワード、合計点欄８０には合計得点が格納され、有効フラグ欄８２には有効フラグ「１」、除外フラグ「０」が立てられる。
【００４３】
この場合、「検索ワード１」、「検索ワード２」、・・・・・の合計得点は、各サイトの小計得点の合計値であり、
「検索ワード１」の合計点＝サイトＡの小計得点＋サイトＢの小計得点・・・
「検索ワード２」の合計点＝サイトＡの小計得点＋サイトＢの小計得点・・・
「検索ワード３」の合計点＝サイトＡの小計得点＋サイトＢの小計得点・・・
・・・・・
「検索ワードｎ」の合計点＝サイトＡの小計得点＋サイトＢの小計得点・・・
・・・(2) 
となる。従って、検索ワードテーブル５２（図４）、検索ワード総合ランキングテーブル７０（図５）から明らかなように、「検索ワード１」は、「サイトＡ」で小計「８」、「サイトＢ」で小計「７」を獲得し、これらの得点を加算すると、合計点「１５」を獲得し、第１位にランキングされている。同様にして、「検索ワード２」は、「サイトＡ」で小計「７」、「サイトＢ」で小計「５」を獲得し、これらの得点を加算すると、合計点「１２」を獲得し、第２位にランキングされている。「検索ワード３」は、「サイトＡ」で小計「６」、「サイトＢ」で小計「４」を獲得し、これらの得点を加算すると、合計点「１０」を獲得し、第３位にランキングされている。「検索ワード４」は、「サイトＡ」で小計「５」、「サイトＢ」で小計「０」を獲得し、これらの得点を加算すると、合計点「５」を獲得し、第５位にランキングされている。「検索ワード５」は、「サイトＡ」で小計「４」、「サイトＢ」で小計「０」を獲得し、これらの得点を加算すると、合計点「４」を獲得し、第６位にランキングされている。「検索ワード６」は、「サイトＡ」で小計「０」、「サイトＢ」で小計「６」を獲得し、これらの得点を加算すると、合計点「６」を獲得し、第４位にランキングされている。「検索ワード７」は、「サイトＡ」で小計「０」、「サイトＢ」で小計「３」を獲得し、これらの得点を加算すると、合計点「３」を獲得し、第７位にランキングされている。
【００４４】
これら「検索ワード１」、「検索ワード２」・・・について、検索ワードマスタテーブル３３（図３）を参照し、、検索ワードマスタテーブル３３には「検索ワード１」、「検索ワード２」、「検索ワード６」、「検索ワード５」、「検索ワード２」、「検索ワード７」が設定されているが、「検索ワード３」、「検索ワード４」・・・の設定はないので、前者に有効フラグ「１」、後者に除外フラグ「０」を立てる。
【００４５】
このようにしてランキングの高い検索ワードをＷＥＢページに埋め込めば、検索ワードをターゲットにする検索結果の上位にその検索ワードを含むＷＥＢページが表示されることになる。
【００４６】
次に、ＷＷＷ文書について、図６、図７及び図８を参照する。図６は、ＷＷＷ文書の各部を示す図、図７は、ＷＷＷ文書作成の処理手順を示すフローチャート、図８は、作成されたＷＷＷ文書を示す図である。図６〜図８は一例であって、斯かる構成に本発明が限定されるものではない。
【００４７】
ＷＷＷ文書は、既述の通り、キーワードタグの部分を中間にし、ｉ) キーワードタグより上部分、ii）キーワードタグの部分、 iii）キーワードタグより下部分を備えており、これらは、図６Ａに示すように、キーワードタグより上部分８４、図６Ｂに示すように、キーワードタグ部分８６、図６Ｃに示すように、キーワードタグより下部分８８で構成される。
【００４８】
ＷＷＷ文書作成の処理手順は、図７に示すように、既述のｉ) キーワードタグより上部分８４（図６Ａ）を作成して出力し（ステップＳ１０１）、既述のii）キーワードタグの部分８６（図６Ｂ）を作成して出力し（ステップＳ１０２）、既述の iii）キーワードタグより下部分８８（図６Ｃ）を作成して出力する（ステップＳ１０３）。このような処理手順により、図８に示すように、ＨＴＭＬソースの一例であるＷＷＷ文書９０が作成され、ＷＥＢページとして提供される。
【００４９】
この場合、最後にファイルを出力する場所はサーバ内の公開されているフォルダ内であるので、図７の処理が終了すれば、キーワード部分が更新されたＨＴＭＬソースが出力されていることになる。例えば、表示したいＷＥＢページのＵＲＬがwww.０００.com/index.html だったとすると、出力ファイルを"index.html"とし、出力する場所を"www. ０００.com/"以下に表示されるようにしておけば、図７の処理が終われば、index.html内のキーワード部分が更新されることになる。
【００５０】
次に、検索ワード収集について、図９を参照する。図９は、検索ワード収集の処理手順を示すフローチャートである。図９に示す構成は一例であって、斯かる構成に本発明が限定されるものではない。
【００５１】
検索ワード収集は、ワードランキングサイト等を通じて実行され、その処理手順は、ＷＥＢページのランキング連動方法又はそのプログラムの一例であって、図９に示すように、各ランキングサイト数に応じたアクセス処理Ｆ１と、各ランキングサイトにあるソースの各行の検索ワードの検索処理Ｆ２とを包含する。アクセス処理Ｆ１はランキングサイトについてのループを表しており、このアクセス処理Ｆ１では参照したいランキングサイトの数だけステップＳ２０１、２０２の処理が実行される。また、検索処理Ｆ２は分割されたソースの各行に対してのループを表しており、この検索処理Ｆ２では、各行についてステップＳ２０３、２０４、２０５、２０６の処理が実行される。
【００５２】
この処理手順では、アクセス処理Ｆ１を実行する。このアクセス処理Ｆ１では、ランキングサイトにアクセスし、表示されているソース（情報源）を取得する（ステップＳ２０１）。取得したソースは１行毎に分割し（ステップＳ２０２）、ソースの各行についての検索ワードの検索処理Ｆ２を実行する。
【００５３】
この検索処理Ｆ２では、その行は検索ワードを表示しているか否かを判断する（ステップＳ２０３）。検索ワードを表示していれば（ステップＳ２０３のＹＥＳ）、その行から検索ワードを取得する（ステップＳ２０４）。
【００５４】
その行に検索ワードを表示していなければ（ステップＳ２０３のＮＯ）、その行は検索ワードの順位を表示しているか否かを判断する（ステップＳ２０５）。その行が検索ワードの順位を表示していれば（ステップＳ２０５のＹＥＳ）、その行から検索ワードの順位を取得する（ステップＳ２０６）。
【００５５】
その行が検索ワードの順位を表示していなければ（ステップＳ２０５のＮＯ）、検索が全ての行に対して行われていれば、処理Ｆ１に移行し、また、全てのランキングサイトについてのループ処理を終了していれば、そのソースの各行で取得された検索ワード、順位、取得日時、参照元サイトを検索ワードＤＢ部１６に書き込み（ステップＳ２０７）、この処理を終了する。
【００５６】
次に、検索ワード解析について、図１０を参照する。図１０は、検索ワード解析の処理手順を示すフローチャートである。図１０に示す構成は一例であって、斯かる構成に本発明が限定されるものではない。
【００５７】
この検索ワード解析は、ＷＥＢページのランキング連動方法又はそのプログラムの一例であって、検索ワード解析部１４における処理であって、図１０に示すように、各ランキングサイトについての順位付け情報の取得及びその重み付けの処理Ｆ３を含んでいる。この処理Ｆ３は、ランキングサイトについてのループであって、この処理Ｆ３では、参照したいランキングサイトの数だけステップＳ３０１の処理を行う。
【００５８】
この処理手順では、各ランキングサイトについて、検索ワードＤＢ部１６を参照し、指定した期間内におけるランキング順位、取得日時、参照元サイトから各検索ワードに対する点数を計算する（ステップＳ３０１）。各サイト毎に計算した検索ワードに対する点数を合計し、検索ワードに対する総合ランキングを作る（ステップＳ３０２）。フィルタリングが必要か否かを判断し（ステップＳ３０３）、フィルタリングが必要であれば（ステップＳ３０３のＹＥＳ）、検索ワードに対する総合ランキングの中、検索ワードマスタＤＢ部１８に無いワードを除外する（ステップＳ３０４）。
【００５９】
フィルタリングが必要でなければ（ステップＳ３０３のＮＯ）、上記の結果を検索ワード総合ランキングＤＢ部２６に書き込み（ステップＳ３０５）、また、ステップＳ３０４で検索ワードマスタＤＢ部１８に無いワードを除外した後、この処理を終了する。
【００６０】
そして、ＷＷＷ文書作成の処理手順では、図１１のフローチャートに示すように、ＷＷＷ文書マスタ部２４の予め設定をしておいた場所に、検索ワードマスタＤＢ部１８にある検索ワードを表示し（ステップＳ４００）、この処理を終了する。
【００６１】
以上述べた第１の実施の形態について、特徴事項や利点を以下に列挙する。
【００６２】
(1) インターネット上から収集した流行語等のキーワード（検索ワードランキングサイトで上位にランクインしている言葉等）を自動でＷＥＢページに埋め込むことができ、検索エンジン等のブラウザでキーワードが検索されると、上位にランクインされているキーワードにより、検索結果の上位にＷＥＢぺージを表示させることができる。
【００６３】
(2) 流行するキーワードを自動的にＷＥＢページに表示させることができ、そのキーワードが表示されたＷＥＢページのランキングを上昇させることができる。
【００６４】
(3) 流行語の変遷に即応してＷＥＢページを流行語を反映させて修正することができ、しかも、インターネット上にある流行語等のキーワードの自動収集、その順位付け、その上位にあるキーワードの追加修正を自動で行えるので、ＷＥＢページの更新や修正を迅速に行え、人的な作業を軽減することができる。
【００６５】
(4) 流行を先取りしたＷＥＢページの提供に寄与することができる。
【００６６】
〔第２の実施の形態〕
【００６７】
次に、第２の実施の形態について、図１２を参照する。図１２は、第２の実施の形態に係る検索ワードの収集、解析及びＷＷＷ文書の作成の処理手順を示すフローチャートである。図１２に示す構成は一例であって、斯かる構成に本発明が限定されるものではない。
【００６８】
第１の実施の形態では時間的推移に関係なく、流行語等のキーワードの収集、解析及びＷＷＷ文書作成の処理を説明したが、第２の実施の形態では、一定の時間間隔例えば、日を単位として流行語等のキーワードの収集、解析及びＷＷＷ文書作成の処理を実現したものである。この実施の形態においても、第１の実施の形態と同様にＷＥＢページ提供システム１０（図１）が用いられる。
【００６９】
検索ワードの収集ないしＷＷＷ文書の作成の処理手順は、ＷＥＢページのランキング連動方法又はそのプログラムの一例であって、図１２に示すように、検索ワードの自動収集、その解析及びＷＷＷ文書の自動修正の処理Ｆ４を含んでいる。
【００７０】
この処理手順は、例えば、１日１回のタイミングで検索ワードの収集ないしＷＷＷ文書の作成の処理が生成し、検索ワードの収集処理（図９）が行われ、その出力として検索ワードテーブル３２（図２）が作成され（ステップＳ５０１）、その検索ワードの解析が実行されるとともに、その出力として検索ワード総合ランキングテーブル７０（図５）が作成される（ステップＳ５０２）。このような順位付けの後、その検索ワードを用いたＷＷＷ文書の作成が行われ、その出力としてＷＷＷ文書９０（図８）が作成される（ステップＳ５０３）。
【００７１】
従って、このような実施の形態によっても第１の実施の形態と同様の効果が得られる。特に、この実施の形態では、日毎に流行語等のキーワードの収集、解析及びＷＷＷ文書作成の処理を実行し、日毎のＷＥＢページの修正を行うことができ、検索結果を上位にランク付けすることができる。
【００７２】
〔第３の実施の形態〕
【００７３】
次に、第３の実施の形態について、図１３、図１４、図１５、図１６、図１７、図１８、図１９、図２０、図２１、図２２、図２３、図２４、図２５、図２６及び図２７を参照する。図１３は、第３の実施の形態に係る検索ワードＤＢ部のデータ構造を示す図、図１４は、検索ワードマスタＤＢ部のデータ構造を示す図、図１５は、データ解析時の検索ワードＤＢ部のデータ構造を示す図、図１６は、検索ワード総合ランキングＤＢ部のデータ構造を示す図、図１７及び図１８は、データ解析時の検索ワードＤＢ部のデータ構造を示す図、図１９及び図２０は、検索ワードの点数テーブルを示す図、図２１は、検索ワードの順位推移テーブルを示す図、図２２は、検索ワードの順位の推移を示す図、図２３は、検索ワード総合ランキングＤＢ部のデータ構造を示す図、図２４は、検索ワードの収集、解析及びＷＷＷ文書作成の処理手順を示すフローチャート、図２５、図２６及び図２７は、ＷＷＷ文書の自動修正を示す図である。図１３、図１４、図１５、図１６、図１７、図１８、図１９、図２０、図２１、図２２、図２３、図２４、図２５、図２６及び図２７に示す構成は一例であって、斯かる構成に本発明が限定されるものではない。図１３、図１４、図１５、図１６、図１７、図１８、図１９、図２３、図２５、図２６及び図２７において、図２、図３、図４、図５、図８と同一部分には同一符号を付してある。
【００７４】
この第３の実施の形態は、第１及び第２の実施の形態を具体化したものであって、「検索ワード１」＝「パソコン」、「検索ワード２」＝「カメラ」、「検索ワード３」＝「ねずみ」、「検索ワード４」＝「お菓子」、「検索ワード５」＝「テレビ」、「検索ワード６」＝「年賀状」、「検索ワード７」＝「地デジ」と例示するとともに、２００７年１月１日〜２００７年１月３日におけるキーワードの収集、解析及びＷＷＷ文書作成の処理を実現したものである。
【００７５】
これらの検索ワードについて、データ取得日時：２００７年１月１日を基準に検索ワードテーブル３２Ａ（図１３）を作成する。この場合、検索ワードテーブル３２Ａの各検索ワード「パソコン」・・・「地デジ」は、検索ワードテーブル３２（図２）の検索ワード１〜７に対応する。
【００７６】
また、検索ワードマスタテーブル３３Ａ（図１４）には、検索ワードとして「パソコン」、「カメラ」、「年賀状」、「テレビ」及び「地デジ」を設定する。
【００７７】
また、２００７年１月１日のデータ分析時における検索ワードに対する得点付け処理により、各検索ワードは、検索ワードテーブル５２Ａ（図１５）に示すように点数付けされる。この結果、２００７年１月１日時点の検索ワード総合ランキングは、検索ワード総合ランキングテーブル７０Ａ（図１６）に示すようにランキング付けされる。
【００７８】
これらの検索ワードについて、データ取得日時：２００７年１月２日を基準に検索ワードテーブル５２Ｂ（図１７）を作成し、同様に、データ取得日時：２００７年１月３日を基準に検索ワードテーブル５２Ｃ（図１８）を作成する。
【００７９】
これら日時の推移に対応し、点数テーブル９２（図１９）を作成する。この点数テーブル９２では、検索ワード欄９４、集計日時に対応する集計点欄９６、９８、点数欄１００及び有効フラグ欄１０２が設定され、検索ワード欄９４には、既述の検索ワード「パソコン」・・・が書き込まれ、集計点欄９６には１月２日時点の集計点、集計点欄９８には１月１日時点の集計点、点数欄１００には１月２日時点の点数、有効フラグ欄１０２には有効フラグ「１」又は除外フラグ「０」が格納されている。
【００８０】
また、これら日時の推移に対応し、点数テーブル１０４（図２０）が作成され、この点数テーブル１０４では、検索ワード欄１０６、集計日時に対応する集計点欄１０８、１１０、１１２、点数欄１１４及び有効フラグ欄１１６が設定され、検索ワード欄１０６には、既述の検索ワード「パソコン」・・・が書き込まれ、集計点欄１０８には１月３日時点の集計点、集計点欄１１０には１月２日時点の集計点、集計点欄１１２には１月１日時点の集計点、点数欄１１４には１月３日時点の点数、有効フラグ欄１１６には有効フラグ「１」又は除外フラグ「０」が格納されている。
【００８１】
これら日時及び順位の推移を表す順位推移テーブル１１８（図２１）が作成され、この順位推移テーブル１１８では、検索ワード欄１２０、有効フラグ欄１２２、順位欄１２４、１２６、１２８が設定され、検索ワード欄１２０には、既述の検索ワード「パソコン」・・・が書き込まれ、有効フラグ欄１２２には有効フラグ「１」又は除外フラグ「０」が格納され、順位欄１２４には１月１日の順位、順位欄１２６には１月２日の順位、順位欄１２８には１月３日の順位が格納され、各検索ワードの順位推移は、図２２に示すように、１月１日ないし１月３日の間で変動している。
【００８２】
そして、１月３日時点の検索ワード総合ランキングは、検索ワード総合ランキングテーブル７０Ｃ（図２３）に示すように変化していることが判る。
【００８３】
このような時間的経過を加味したキーワードの検索、解析及びＷＷＷ文書の作成の処理手順は、ＷＥＢページのランキング連動方法及びそのプログラムの一例であって、図２４に示すように、１月１日時点での処理Ｆ４１、１月２日時点での処理Ｆ４２、１月３日時点での処理Ｆ４３の処理が連鎖的に実行される。
【００８４】
そこで、この処理手順では、処理Ｆ４１として検索ワードの収集処理（図９）が実行され、その出力として検索ワードテーブル３２Ａ、５２Ａ（図１３、図１５）が作成される（ステップＳ６０１）。収集した検索ワードの解析処理（図１０）が実行され、その出力として検索ワード総合ランキングテーブル７０Ａ（図１６）が作成される（ステップＳ６０２）。この検索ワードの順位付けに基づき、ＷＷＷ文書の作成処理（図７）が実行され、その出力として１月１日時点のＷＷＷ文書９０Ａ（図２５）が作成される（ステップＳ６０３）。
【００８５】
この処理Ｆ４１の後、処理Ｆ４２として検索ワードの収集処理（図９）が実行され、その出力として検索ワードテーブル５２Ｂ（図１７）が作成される（ステップＳ６０４）。収集した検索ワードの解析処理（図１０）が実行され、その出力として図示しない検索ワード総合ランキングテーブル７０Ｂが作成される（ステップＳ６０５）。この検索ワードの順位付けに基づき、ＷＷＷ文書の作成処理（図７）が実行され、その出力として１月２日時点のＷＷＷ文書９０Ｂ（図２６）が作成される（ステップＳ６０６）。
【００８６】
この処理Ｆ４２の後、処理Ｆ４３として検索ワードの収集処理（図９）が実行され、その出力として検索ワードテーブル５２Ｃ（図１８）が作成される（ステップＳ６０７）。収集した検索ワードの解析処理（図１０）が実行され、その出力として検索ワード総合ランキングテーブル７０Ｃ（図２３）が作成される（ステップＳ６０８）。この検索ワードの順位付けに基づき、ＷＷＷ文書の作成処理（図７）が実行され、その出力として１月３日時点のＷＷＷ文書９０Ｃ（図２７）が作成される（ステップＳ６０９）。
【００８７】
以上説明したように、２００７年１月１日の点数を図１５、２００７年１月２日の点数を図１７、２００７年１月３日の点数を図１８とする。１月２日時点での点数は図１９となり、１月３日時点での点数は図２０となる。これらの点数を元に、各検索ワードに対する日毎の順位付けを行ったものが図２１となり、これを視覚的に示したのが図２２となる。このように、日時点に重みを付けることによって、変化するランキングサイトの順位を時間的に追いかけることができる。以上の結果から、図２３に示すように、１月３日における検索ワード総合ランキングテーブル７０Ｃとなる。この例では、３日間以内のデータを有効として扱っている。例えば、１月４日の時点でのランキングは１月２日、１月３日、１月４日を元にしてランキングを作成することとなる。
【００８８】
この実施の形態においても、第１及び第２の実施の形態と同様の効果が得られるとともに、日毎に変化するランキングの推移が現在に反映され、常に検索結果を上位にランクさせるＷＥＢページを提供することができる。
【００８９】
〔第４の実施の形態〕
【００９０】
次に、第４の実施の形態について、図２８を参照する。図２８は、コンピュータを示す図である。図２８に示す構成は一例であって、斯かる構成に本発明が限定されるものではない。
【００９１】
第１の実施の形態におけるＷＥＢページ提供装置であるサーバ１及びサーバ２は、コンピュータ１３０（図２８）によって構成される。このコンピュータ１３０は、図２８に示すように、プロセッサ１３２と、入力部１３４と、表示部１３６と、通信部１３８と、プログラム記憶部１４０と、データ記録部１４２と、ＲＡＭ（Random-Access Memory）１４４とを備える。
【００９２】
プロセッサ１３２は、プログラム記憶部１４０にあるＯＳ（Operating System）やアプリケーションプログラムを実行し、既述のＷＥＢページのランキング連動プログラムやそのサブルーチンを実行するとともに、既述の検索ワード収集、検索ワード解析、ＷＷＷ文書作成等の処理を実行する処理手段であり、ポータルサイト等に設置される。
【００９３】
入力部１３４は情報の入力手段であり、表示部１３６は情報表示手段である。通信部１３８は、インターネット３０等のネットワークを通してＷＥＢサイト等との情報の送受を行う通信手段である。
【００９４】
プログラム記憶部１４０はＯＳやアプリケーションプログラム、既述のＷＥＢページのランキング連動プログラムやそのサブルーチンを格納する記録手段であり、また、データ記録部１４２は、既述の各種の情報を記録し、データテーブルやデータベース部を構築する手段である。ＲＡＭ１４４は各種の処理を実行するためのワークエリアである。
【００９５】
このようなコンピュータ１３０を用いれば、既述のサーバ１、サーバ２（図１）を構築でき、検索ワード収集部１２、検索ワード解析部１４をプロセッサ１３２で構成し、検索ワードＤＢ部１６、検索ワードマスタＤＢ部１８をデータ記録部１４２で構成し、また、ＷＷＷ文書作成部２２をプロセッサ１３２で構成し、ＷＷＷ文書マスタ部２４、検索ワード総合ランキングＤＢ部２６をデータ記録部１４２等で構成でき、既述のＷＥＢページ提供システム２、ＷＥＢページ提供装置を構築し、ＷＥＢページのランキング連動方法及びそのプログラムを実現することができる。
【００９６】
〔他の実施の形態〕
【００９７】
(1) 上記実施の形態では、複数のサイトを参照したが、単一のＷＥＢサイトのランキングのみを参照し、そのランキングに連動するキーワードによってＷＥＢページを修正する構成としてもよい。                      
【００９８】
(2) 第１の実施の形態では、サーバ１及びサーバ２を用いているが、サーバ１及びサーバ２の構成を単一のサーバで構成してもよい。
【００９９】
(3) 第１の実施の形態では、検索ワードテーブル５２が検索ワードＤＢ部１６に格納されている旨説明しているが、検索ワード総合ランキングＤＢ部２６側に格納してもよい。
【０１００】
次に、以上述べた本発明の実施の形態又は実施例から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１０１】
（付記１）  ネットワーク上にＷＥＢページを提供するＷＥＢページ提供装置であって、
ネットワーク上のＷＥＢサイトにアクセスし、前記ＷＥＢサイトから検索ワードを収集する検索ワード収集手段と、
前記ＷＥＢサイトから前記検索ワードの順位付け情報を取得する取得手段と、
前記順位付け情報を参照して前記検索ワードに順位付けする検索ワード順位付け手段と、
前記検索ワード順位付け手段によって順位付けされた前記検索ワードを格納する順位付け検索ワード蓄積手段と、
順位付けされた前記検索ワードの順位付けに応じて前記検索ワードを提供中のＷＥＢページに書き込み、ＷＥＢページを修正するＷＥＢページ修正手段と、
を備えたことを特徴とするＷＥＢページ提供装置。
【０１０２】
（付記２）  付記１のＷＥＢページ提供装置において、
前記検索ワード収集手段によって収集された前記検索ワードを蓄積する検索ワード蓄積手段を備え、該検索ワード蓄積手段に少なくとも日時情報、収集したＷＥＢサイト情報とともに前記検索ワードを蓄積することを特徴とするＷＥＢページ提供装置。
【０１０３】
（付記３）  付記１のＷＥＢページ提供装置において、
前記検索ワード順位付け手段は、指定期間での少なくとも検索ワードのＷＥＢサイト上の順位、検索ワードの取得日時、検索したＷＥＢサイトの何れか又は２以上を順位付け情報に使用することにより、又はその順位付け情報に点数を付与することにより、前記検索ワードに順位付けを行うことを特徴とするＷＥＢページ提供装置。
【０１０４】
（付記４）  ネットワーク上に提供されるＷＥＢページのランキング連動方法であって、
ネットワーク上のＷＥＢサイトにアクセスし、前記ＷＥＢサイトから検索ワードを収集するステップと、
前記ＷＥＢサイトから前記検索ワードの順位付け情報を取得するステップと、
前記順位付け情報を参照して前記検索ワードに順位付けするステップと、
順位付けされた前記検索ワードを順位付け情報とともに順位付け検索ワード蓄積手段に格納するステップと、
順位付けされた前記検索ワードの順位付けに応じて前記検索ワードを提供中のＷＥＢページに書き込み、ＷＥＢページを修正するステップと、
を含むことを特徴とするＷＥＢページのランキング連動方法。
【０１０５】
（付記５）  付記４のＷＥＢページのランキング連動方法において、
収集された前記検索ワードを蓄積する検索ワード蓄積手段に少なくとも日時情報、収集したＷＥＢサイト情報とともに前記検索ワードを蓄積するステップを含むことを特徴とするＷＥＢページのランキング連動方法。
【０１０６】
（付記６）  付記４のＷＥＢページのランキング連動方法において、
前記検索ワードの順位付けには、指定期間での少なくとも検索ワードのＷＥＢサイト上の順位、検索ワードの取得日時、検索したＷＥＢサイトの何れか又は２以上を順位付け情報に使用することにより、又はその順位付け情報に点数を付与することにより、前記検索ワードに順位付けを行うステップを含むことを特徴とするＷＥＢページのランキング連動方法。
【０１０７】
（付記７）  コンピュータによって実行され、ネットワーク上に提供されるＷＥＢページのランキング連動プログラムであって、
ネットワーク上のＷＥＢサイトにアクセスし、前記ＷＥＢサイトから検索ワードを収集するステップと、
前記ＷＥＢサイトから前記検索ワードの順位付け情報を取得するステップと、
前記順位付け情報を参照して前記検索ワードに順位付けするステップと、
順位付けされた前記検索ワードを順位付け情報とともに順位付け検索ワード蓄積手段に格納するステップと、
順位付けされた前記検索ワードの順位付けに応じて前記検索ワードを提供中のＷＥＢページに書き込み、ＷＥＢページを修正するステップと、
をコンピュータに実行させるＷＥＢページのランキング連動プログラム。
【０１０８】
（付記８）  付記７のＷＥＢページのランキング連動プログラムにおいて、
収集された前記検索ワードを蓄積する検索ワード蓄積手段に少なくとも日時情報、収集したＷＥＢサイト情報とともに前記検索ワードを蓄積するステップをコンピュータに実行させるＷＥＢページのランキング連動プログラム。
【０１０９】
（付記９）  付記７のＷＥＢページのランキング連動プログラムにおいて、
前記検索ワードの順位付けには、指定期間での少なくとも検索ワードのＷＥＢサイト上の順位、検索ワードの取得日時、検索したＷＥＢサイトの何れか又は２以上を順位付け情報に使用することにより、又はその順位付け情報に点数を付与することにより、前記検索ワードに順位付けを行うステップを含み、コンピュータに実行させるＷＥＢページのランキング連動プログラム。
【０１１０】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１１１】
本発明は、インターネット上へのＷＥＢページの提供及びその修正に関し、流行語等のキーワードを自動でＷＥＢページに反映させることができ、検索エンジン等の検索プログラムによってキーワード検索が実行された際に、ＷＥＢページの検索ランキングを上昇させることができる。
【図面の簡単な説明】
【０１１２】
【図１】第１の実施の形態に係るＷＥＢページ提供システムを示す図である。
【図２】検索ワードＤＢ部のデータ構造を示す図である。
【図３】検索ワードマスタＤＢ部のデータ構造を示す図である。
【図４】検索ワードの得点テーブルのデータ構造を示す図である。
【図５】検索ワード総合ランキングＤＢ部のデータ構造を示す図である。
【図６】ＷＷＷ文書の各部を示す図である。
【図７】ＷＷＷ文書作成の処理手順を示すフローチャートである。
【図８】ＷＷＷ文書を示す図である。
【図９】検索ワード収集の処理手順を示すフローチャートである。
【図１０】検索ワード解析の処理手順を示すフローチャートである。
【図１１】ＷＷＷ文書に対する検索ワードの表示処理を示すフローチャートである。
【図１２】第２の実施の形態に係る検索ワードの収集、解析及びＷＷＷ文書作成の処理手順を示すフローチャートである。
【図１３】第３の実施の形態に係る検索ワードＤＢ部のデータ構造を示す図である。
【図１４】検索ワードマスタＤＢ部のデータ構造を示す図である。
【図１５】データ解析時の検索ワードＤＢ部のデータ構造を示す図である。
【図１６】検索ワード総合ランキングＤＢ部のデータ構造を示す図である。
【図１７】データ解析時の検索ワードＤＢ部のデータ構造を示す図である。
【図１８】データ解析時の検索ワードＤＢ部のデータ構造を示す図である。
【図１９】検索ワードの点数テーブルを示す図である。
【図２０】検索ワードの点数テーブルを示す図である。
【図２１】検索ワードの順位推移テーブルを示す図である。
【図２２】検索ワードの順位の推移を示す図である。
【図２３】検索ワード総合ランキングＤＢ部のデータ構造を示す図である。
【図２４】検索ワードの収集、解析及びＷＷＷ文書作成の処理手順を示すフローチャートである。
【図２５】１月１日時点のＷＷＷ文書を示す図である。
【図２６】１月２日時点のＷＷＷ文書を示す図である。
【図２７】１月３日時点のＷＷＷ文書を示す図である。
【図２８】第４の実施の形態に係るサーバを構成するコンピュータを示す図である。
【符号の説明】
【０１１３】
１  サーバ
２  サーバ
１０  ＷＥＢページ提供システム
１２  検索ワード収集部
１４  検索ワード解析部
１６  検索ワードデータベース部
１８  検索ワードマスタデータベース部
２２  ＷＷＷ文書作成部
２４  ＷＷＷ文書マスタ部
２６  検索ワード総合ランキングデータベース部
３０  インターネット
３２、３２Ａ  検索ワードテーブル
３３、３３Ａ  検索ワードマスタテーブル
４１、４２・・・４ｎ  検索ワードランキングサイト
５０  検索ワード欄
５２、５２Ａ、５２Ｂ、５２Ｃ  検索ワードテーブル
７０、７０Ａ、７０Ｃ  検索ワード総合ランキングテーブル
９０  ＷＷＷ文書
９２、１０４  点数テーブル
１１８  順位推移テーブル
１３０  コンピュータ
１３２  プロセッサ
１３４  入力部
１３６  表示部
１３８  通信部
１４０  プログラム記憶部
１４２  データ記録部
１４４  ＲＡＭ
【図１】
2010026724.tif 000003
【図２】
2010026724.tif 000004
【図３】
2010026724.tif 000005
【図４】
2010026724.tif 000006
【図５】
2010026724.tif 000007
【図６】
2010026724.tif 000008
【図７】
2010026724.tif 000009
【図８】
2010026724.tif 000010
【図９】
2010026724.tif 000011
【図１０】
2010026724.tif 000012
【図１１】
2010026724.tif 000013
【図１２】
2010026724.tif 000014
【図１３】
2010026724.tif 000015
【図１４】
2010026724.tif 000016
【図１５】
2010026724.tif 000017
【図１６】
2010026724.tif 000018
【図１７】
2010026724.tif 000019
【図１８】
2010026724.tif 000020
【図１９】
2010026724.tif 000021
【図２０】
2010026724.tif 000022
【図２１】
2010026724.tif 000023
【図２２】
2010026724.tif 000024
【図２３】
2010026724.tif 000025
【図２４】
2010026724.tif 000026
【図２５】
2010026724.tif 000027
【図２６】
2010026724.tif 000028
【図２７】
2010026724.tif 000029
【図２８】
2010026724.tif 000030